(57)【要約】【課題】ファクシミリ受信したデータの印刷を許可されていない種類の印刷媒体にファクシミリ受信したデータが許可なく印刷されてしまうことを防止する画像入出力装置を提供する。【解決手段】印刷手段と、データをファクシミリ受信する受信手段と、ファクシミリ受信したデータの印刷を許可されている印刷媒体の種類を表す情報を記憶している記憶手段と、前記受信手段で着呼を検出するとトレイに載置されている印刷媒体の種類を検出し、検出した種類はファクシミリ受信したデータの印刷を許可されている種類であるか否かを前記情報に基づいて判定する判定手段と、前記判定手段で肯定判定されると前記着呼に応答して前記受信手段でファクシミリ受信したデータを前記印刷手段に印刷させ、否定判定されると当該データを前記印刷手段に印刷させずに所定の処理を実行する制御手段と、を備える画像入出力装置。【選択図】図１
2007165988.tif 000002
【特許請求の範囲】
【請求項１】
印刷対象のデータに応じた種類の印刷媒体が適宜載置されるトレイと、
前記トレイに載置されている印刷媒体にデータを印刷する印刷手段と、
データをファクシミリ受信する受信手段と、
ファクシミリ受信したデータの印刷を許可されている印刷媒体の種類を表す情報を記憶している記憶手段と、
前記受信手段で着呼を検出すると前記トレイに載置されている印刷媒体の種類を検出し、検出した種類はファクシミリ受信したデータの印刷を許可されている種類であるか否かを前記情報に基づいて判定する判定手段と、
前記判定手段で肯定判定されると前記着呼に応答して前記受信手段でファクシミリ受信したデータを前記印刷手段に印刷させ、否定判定されると当該データを前記印刷手段に印刷させずに所定の処理を実行する制御手段と、
を備える画像入出力装置。
【請求項２】
前記所定の処理は、前記着呼に応答して前記受信手段でファクシミリ受信したデータを印刷するか否かをユーザに問い合わせ、ユーザにより印刷が指示されると前記判定手段に検出および判定を再実行させる処理である請求項１に記載の画像入出力装置。
【請求項３】
前記所定の処理は、前記着呼に応答して前記受信手段でファクシミリ受信したデータを印刷するか否かをユーザに問い合わせ、ユーザにより印刷が指示されると当該データを前記印刷手段に印刷させる処理である請求項１に記載の画像入出力装置。
【請求項４】
前記制御手段は、印刷するか否かをユーザに問い合わせる際に、前記判定手段で検出した種類をユーザに通知する請求項２又は３に記載の画像入出力装置。
【請求項５】
前記所定の処理は、前記受信手段にファクシミリ受信を拒否させる処理である請求項１に記載の画像入出力装置。
【請求項６】
前記所定の処理をユーザが選択するための選択手段を更に備える請求項１に記載の画像入出力装置。
【請求項７】
前記受信手段は複数の通信種別でデータをファクシミリ受信可能であり、
前記情報はファクシミリ受信したデータの印刷を許可されている印刷媒体の種類を通信種別毎に表す情報であり、
前記判定手段は、検出した種類はファクシミリ受信したデータの印刷を許可されている種類であるか否かを、前記着呼に応答して前記受信手段でファクシミリ受信した際の通信種別と前記情報とに基づいて判定する請求項１に記載の画像入出力装置。
【請求項８】
前記受信手段は、モノクロ画像を表すデータとカラー画像を表すデータとを異なる通信種別でファクシミリ受信する請求項７に記載の画像入出力装置。
【請求項９】
前記所定の処理は、前記着呼に応答して前記受信手段でファクシミリ受信したデータを印刷するか否かをユーザに問い合わせ、ユーザにより印刷が指示されると前記判定手段に検出および判定を再実行させるか又は前記印刷手段に当該データを印刷させる処理であり、
前記制御手段は、印刷するか否かをユーザに問い合わせる際に、当該データを前記受信手段でファクシミリ受信した際の通信種別をユーザに通知する請求項７又は８に記載の画像入出力装置。
【発明の詳細な説明】
【技術分野】
【０００１】
本発明は、印刷機能とファクシミリ受信機能とを備える画像入出力装置に関する。
【背景技術】
【０００２】
従来、ディジタルカメラやイメージスキャナなどで生成したディジタル画像をカラー印刷可能なプリンタが知られている。また、このようなカラー印刷可能なプリンタとファクシミリ装置（例えば特許文献１参照）とを一体化し、ファクシミリ受信したデータをプリンタで印刷する所謂複合機（画像入出力装置）も知られている。一般にこのような複合機ではユーザは印刷対象のデータに応じた種類の印刷媒体をトレイに適宜載置して印刷している。例えばカラーのディジタル画像（以下、「カラー画像」という）を印刷するときは光沢紙などのカラー画像の印刷に適している種類の印刷媒体をトレイに載置して印刷し、文書などのモノクロのディジタル画像（以下、「モノクロ画像」という）を印刷するときは普通紙をトレイに載置して印刷している。ここで普通紙は一般に光沢紙に比べてインクが滲み易く、カラー画像の印刷には適していない種類の印刷媒体である。
【０００３】
しかしながら、従来の複合機によると、トレイに光沢紙が載置されているときにモノクロ画像をファクシミリ受信すると、ファクシミリ受信したモノクロ画像が光沢紙に印刷されてしまい、光沢紙を無駄遣いしてしまうという問題がある。
【０００４】
【特許文献１】特開平８−１３９８９８号公報
【発明の開示】
【発明が解決しようとする課題】
【０００５】
本発明は、上述の問題を解決するために創作されたものであって、ファクシミリ受信したデータの印刷を許可されていない種類の印刷媒体にファクシミリ受信したデータが許可なく印刷されてしまうことを防止する画像入出力装置を提供することを目的とする。
【課題を解決するための手段】
【０００６】
（１）上記目的を達成するための画像入出力装置は、印刷対象のデータに応じた種類の印刷媒体が適宜載置されるトレイと、前記トレイに載置されている印刷媒体にデータを印刷する印刷手段と、データをファクシミリ受信する受信手段と、ファクシミリ受信したデータの印刷を許可されている印刷媒体の種類を表す情報を記憶している記憶手段と、前記受信手段で着呼を検出すると前記トレイに載置されている印刷媒体の種類を検出し、検出した種類はファクシミリ受信したデータの印刷を許可されている種類であるか否かを前記情報に基づいて判定する判定手段と、前記判定手段で肯定判定されると前記着呼に応答して前記受信手段でファクシミリ受信したデータを前記印刷手段に印刷させ、否定判定されると当該データを前記印刷手段に印刷させずに所定の処理を実行する制御手段と、を備える。
本発明によると、制御手段は否定判定されると当該データを印刷手段に印刷させずに所定の処理を実行するので、この所定の処理で例えばユーザに印刷するか否かを問い合わせたり、あるいはファクシミリ受信を拒否したりすることにより、ファクシミリ受信したデータの印刷を許可されていない種類の印刷媒体にファクシミリ受信したデータが許可なく印刷されてしまうことを防止できる。
【０００７】
（２）前記所定の処理は、前記着呼に応答して前記受信手段でファクシミリ受信したデータを印刷するか否かをユーザに問い合わせ、ユーザにより印刷が指示されると前記判定手段に検出および判定を再実行させる処理であってもよい。
本発明によると、制御部は判定手段で肯定判定されるとデータを印刷手段に印刷させるので、ユーザは問い合わせされたとき、判定手段で肯定判定されるようにするために印刷を許可されている種類の印刷媒体に交換し、その後に印刷を指示することにより、ファクシミリ受信したデータを印刷させることができる。また、本発明によると、ユーザが印刷媒体を交換せずに印刷を指示すると判定手段で再び否定判定がなされるので、印刷を許可されていない種類の印刷媒体にファクシミリ受信したデータが印刷されてしまうことをより確実に防止できる。
【０００８】
（３）前記所定の処理は、前記着呼に応答して前記受信手段でファクシミリ受信したデータを印刷するか否かをユーザに問い合わせ、ユーザにより印刷が指示されると当該データを前記印刷手段に印刷させる処理であってもよい。
本発明によると、ユーザにより印刷が指示されると、制御手段は載置されている印刷媒体の種類に拘わらずファクシミリ受信したデータを印刷手段に印刷させる。印刷を許可されていない種類の印刷媒体に印刷しても構わない場合、ユーザは印刷媒体を交換せずに印刷を指示することにより、ファクシミリ受信したデータをその印刷媒体に印刷できる。すなわち本発明によると、ユーザが許可した場合については、印刷を許可されていない種類の印刷媒体にファクシミリ受信したデータを印刷できる。
【０００９】
（４）前記制御手段は、印刷するか否かをユーザに問い合わせる際に、前記判定手段で検出した種類をユーザに通知してもよい。
本発明によると、ユーザはトレイに載置されている印刷媒体の種類を容易に把握できる。
【００１０】
（５）前記所定の処理は、前記受信手段にファクシミリ受信を拒否させる処理であってもよい。
本発明によると、受信手段がファクシミリ受信を拒否することにより、印刷を許可されていない種類の印刷媒体にファクシミリ受信したデータが印刷されてしまうことを防止できる。
【００１１】
（６）前記所定の処理をユーザが選択するための選択手段を更に備えてもよい。
本発明によると、所定の処理をユーザが自由に選択できる。
【００１２】
（７）前記受信手段は複数の通信種別でデータをファクシミリ受信可能であり、前記情報はファクシミリ受信したデータの印刷を許可されている印刷媒体の種類を通信種別毎に表す情報であり、前記判定手段は、検出した種類はファクシミリ受信したデータの印刷を許可されている種類であるか否かを、前記着呼に応答して前記受信手段でファクシミリ受信した際の通信種別と前記情報とに基づいて判定してもよい。
本発明によると、印刷を許可されている種類の印刷媒体が通信種別によって異なる場合に、許可されている種類であるか否かを通信種別毎に適切に判定できる。
【００１３】
（８）前記受信手段は、モノクロ画像を表すデータとカラー画像を表すデータとを異なる通信種別でファクシミリ受信してもよい。
本発明によると、モノクロ画像を表すデータをファクシミリ受信する通信種別の場合は、カラー画像の印刷に適している種類の印刷媒体は印刷を許可されていない種類であるとすることにより、カラー画像の印刷に適している種類の印刷媒体にファクシミリ受信したモノクロ画像が印刷されてしまうことを防止できる。逆に、カラー画像を表すデータをファクシミリ受信する通信種別の場合は、カラー画像の印刷に適していない種類の印刷媒体は印刷を許可されていない種類であるとすることにより、カラー画像の印刷に適していない種類の印刷媒体にファクシミリ受信したカラー画像が印刷されてしまうことを防止できる。
【００１４】
（９）前記所定の処理は、前記着呼に応答して前記受信手段でファクシミリ受信したデータを印刷するか否かをユーザに問い合わせ、ユーザにより印刷が指示されると前記判定手段に検出および判定を再実行させるか又は前記印刷手段に当該データを印刷させる処理であり、前記制御手段は、印刷するか否かをユーザに問い合わせる際に、当該データを前記受信手段でファクシミリ受信した際の通信種別をユーザに通知してもよい。
本発明によると、ユーザは当該データをファクシミリ受信した際の通信種別を容易に把握できる。印刷を許可されている種類は通信種別毎に決まっているので、通信種別を把握できればユーザはどの種類の印刷媒体に交換すべきかを容易に判断できる。
【００１５】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１６】
以下、本発明の実施の形態を複数の実施例に基づいて説明する。尚、各実施例で対応する構成要素及び処理には同一の符号を付し、各実施例で対応する構成要素及び処理について重複する説明は省略する。
（第１実施例）
図２は、本発明の第１実施例に係る画像入出力装置としての複合機１０の外観を示す斜視図である。図３は、複合機１０のハードウェア構成を示すブロック図である。複合機１０は、原稿を読み取ってディジタル画像を生成し、生成したディジタル画像を印刷ユニット３０、ファクシミリ送受信部５０、リムーバブルメモリ４８、あるいは図示しないＰＣ（Personal Computer）に出力するスキャンユニット２０と、スキャンユニット２０、ファクシミリ送受信部５０、リムーバブルメモリ４８、あるいはＰＣから入力されるディジタル画像を印刷する印刷ユニット３０とを有している。
【００１７】
スキャンユニット２０は、主に上部ケース２１に収容され、照明部２２、イメージセンサ２３、ＡＦＥ（Analog Front End）部２４、センサ駆動部２５、センサキャリッジ駆動部２６などを備える。照明部２２は、主走査方向に長い蛍光管ランプ等で構成される。センサ駆動部２５に駆動されるイメージセンサ２３は、ＲＧＢの３チャネルの光電素子群を備えるカラーＣＣＤリニアイメージセンサ等のリニアイメージセンサである。イメージセンサ２３は、透明な原稿台と平行に移動する図示しないセンサキャリッジに搭載されている。イメージセンサ２３は、図示しないレンズ及びミラーにより受光面に結像される原稿の光学像の濃淡に相関する電気信号を出力する。センサキャリッジ駆動部２６は、図示しないモータ、駆動ベルト、駆動回路等を備える。センサキャリッジ駆動部２６は、主走査方向に垂直に架設された図示しないガイドロッドに沿ってセンサキャリッジを往復移動させる。イメージセンサ２３が主走査方向と垂直な方向に移動することにより二次元画像を読み取り可能となる。ＡＦＥ部２４は、増幅、ノイズ除去等のアナログ信号処理回路、Ａ／Ｄ変換器等を備える。
【００１８】
印刷手段としての印刷ユニット３０は、主に下部ケース３１に収容され、インクジェット方式で用紙に画像を形成する印字ヘッド３２、ヘッドキャリッジ駆動部３３、送紙部３４、これらを制御する印刷ユニット制御部３５などを備える。尚、印刷ユニット３０はレーザ方式等の他の印刷方式に対応する構成でもよい。印字ヘッド３２は、インクカートリッジが搭載される図示しないヘッドキャリッジに設けられ、ノズル、ピエゾ素子、ピエゾ素子に印加する駆動信号を出力するピエゾ駆動回路等を備える。ピエゾ駆動回路は、印刷ユニット制御部３５から出力される制御信号に応じて所定の波形の駆動信号をピエゾ素子に印加する。ヘッドキャリッジ駆動部３３は、図示しないモータ、駆動ベルト、モータ駆動回路等を備える。ヘッドキャリッジ駆動部３３は、用紙の搬送方向と垂直に印字ヘッド３２を往復移動させる。送紙部３４は、図示しない用紙搬送ローラ、モータ、モータ駆動回路等を備える。送紙部３４は、用紙搬送ローラを回転させることにより、トレイ３６に載置されている用紙３７を印字ヘッド３２の移動方向軸線と垂直な方向に搬送する。印刷ユニット制御部３５は、ＲＡＭ６６から順次印字データが転送されるバッファメモリと、バッファメモリに格納された印字データを印字ヘッド３２に出力するタイミングをヘッドキャリッジの位置に応じて制御する機能と、ヘッドキャリッジ駆動部３３を制御する機能と、送紙部３４を制御する機能とを備えるＡＳＩＣである。
【００１９】
トレイ３６には印刷対象のデータに応じた種類の用紙３７がユーザによって適宜載置される。例えばディジタルカメラで撮像して生成されたディジタル画像をカラー印刷する場合はＬ判の光沢紙が載置され、文書などの文字データを白黒印刷する場合はＡ４普通紙が載置される。
印刷手段としてのディジタル画像処理部４１は、ＡＦＥ部２４から出力された画像データに対し、ガンマ補正、シェーディング補正、ＪＰＥＧ形式のエンコード等の画像処理を施してディジタル画像を生成する処理や、ＪＰＥＧ形式のディジタル画像のデコード、解像度変換、アンシャープ処理、階調補正、二値化、分版処理等の画像処理をＣＰＵ６８と協働して実行するＤＳＰ等の専用回路である。
【００２０】
受信手段としてのファクシミリ送受信部５０は、公衆電話網と接続するためのＮＣＵ（Ｎｅｔｗｏｒｋ  Ｃｏｎｔｒｏｌ  Ｕｎｉｔ）、送受信データの変復調を行うモデム、ＩＴＵ−Ｔ勧告に従ってプロトコル制御を行うプロトコル制御部、送受信データを符号化および復号化する符号化・復号化部などを有し、カラー画像を送受信可能に構成されている。符号化・復号化部はカラー画像の送受信時にはカラー画像をＪＰＥＧ方式によって符号化および復号化し、モノクロ画像の送受信時にはモノクロ画像をＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）などの方式によって符号化および復号化する。カラー画像の送受信およびモノクロ画像の送受信はそれぞれ特許請求の範囲に記載の「通信種別」に相当する。
【００２１】
選択手段としての表示部４２は、ＬＣＤ４２ａ、ＬＣＤ４２ａを制御する図示しないグラフィックコントローラなどを備える。表示部４２は制御部６５に制御され、ＬＣＤ４２ａにディジタル画像や各種のメニューなどを表示する。
選択手段としての操作部４３は、ＬＣＤ４２ａに表示されたメニューを操作するための各種の操作ボタン、印刷や読み取りの開始を指示する指示ボタンなどの各種の操作ボタンを備える。また、操作部４３はファクシミリ番号を入力するための複数の番号ボタンなども備えている。
【００２２】
通信部４４は、制御部６５がＰＣ等の外部のシステムと通信するための通信インタフェースである。通信部４４は、ＬＡＮ、インターネット、ＵＳＢ等を通じて外部のシステムと通信する。
判定手段としてのサイズ検出センサ４５は、トレイ３６に載置されている用紙のサイズを検出するセンサである。例えばトレイ３６に用紙が常に縦置きで載置される場合、用紙の横幅を検出することによって用紙のサイズを一意に特定できる。
【００２３】
判定手段としての紙質検出センサ４６は、トレイ３６に載置されている用紙の紙質を検出するセンサである。本実施例では用紙の紙質として「普通紙」および「光沢紙」の２つがある場合を例に説明する。一般に紙質は用紙の光反射率、表面粗さ、濃度、光透過率、重さ、厚み、摩擦係数、誘電率、含水率などによって違いを判定できる。従って、紙質検出センサ４６としては、用紙の光反射率を検出するセンサ、表面粗さを検出するセンサ、濃度を検出するセンサ、光透過率を検出するセンサ、重さを検出するセンサ、厚みを検出するセンサ、摩擦係数を検出するセンサ、誘電率を検出するセンサ、含水率を検出するセンサなどを用いることができる。なお、紙質検出センサ４６を備える替わりに、トレイ３６に載置した用紙の紙質をユーザが登録する手段を備えてもよい。また、プリンタの機能上、普通紙は常にＡ４サイズであり、光沢紙は常にＡ４サイズ以外のサイズであることが明らかな場合は、サイズ検出センサ４５においてＡ４サイズであると判定された場合は常に普通紙であると判定し、Ａ４サイズ以外のサイズであると判定された場合は常に光沢紙であると判定するようにしてもよい。
【００２４】
外部メモリコントローラ４７は、カードスロット４９から挿入されたリムーバブルメモリ４８に接続される。リムーバブルメモリ４８に格納されたデータは外部メモリコントローラ４７によって読み出され、ＲＡＭ６６に転送される。リムーバブルメモリ４８は電源が供給されなくても記憶内容が保持されるフラッシュメモリなどの脱着可能な不揮発性の記憶媒体である。
【００２５】
制御部６５は、ＲＡＭ６６、フラッシュメモリ６７及びＣＰＵ６８を備える。ＣＰＵ６８はフラッシュメモリ６７に格納されている制御プログラムを実行して複合機１０の各部を制御する。また、制御部６５は制御プログラムを実行することにより、印刷手段、受信手段、判定手段、制御手段、および選択手段としても機能する。記憶手段としてのフラッシュメモリ６７は電力供給が遮断されても記憶内容が失われない不揮発性メモリである。フラッシュメモリ６７には制御プログラム、ファクシミリ受信したデータの印刷を許可されている用紙の種類を表すテーブル、その他各種のプログラムやデータなどが記憶される。制御プログラムは遠隔地のサーバからネットワークを経由してフラッシュメモリ６７に格納してもよいし、リムーバブルメモリ４８などのコンピュータ読み取り可能な記録媒体を経由してフラッシュメモリ６７に格納してもよい。ＲＡＭ６６は、制御プログラム、ファクシミリ送受信部５０で受信したデータ、スキャンユニット２０で生成されたディジタル画像などの各種のデータが一時的に格納される揮発性メモリである。
【００２６】
次に、ファクシミリ受信したデータの印刷を許可されている印刷媒体（以下「印刷を許可されている用紙」という）の種類を表すテーブルについて説明する。本実施例では用紙の種類をサイズと紙質とによって種類分けする場合を例に説明する。例えばＡ４サイズの普通紙とＡ４サイズの光沢紙とはサイズは同じであっても紙質は異なるので、これらは異なる種類であるとする。
【００２７】
図４（Ａ）は、上述したテーブルの一例を示す模式図である。図４（Ａ）に示すテーブルは、印刷を許可されている用紙の種類を通信種別毎に表している。このテーブルは、通信種別がモノクロの場合はＡ４サイズの普通紙のみが印刷を許可されている種類であり、それ以外は印刷を許可されていない種類であることを表している。一方、通信種別がカラーの場合はＡ４サイズの普通紙のみが印刷を許可されていない種類であり、それ以外は印刷を許可されている種類であることを表している。
【００２８】
図４（Ｂ）はテーブルの別の一例を示す模式図である。図４（Ｂ）において「×」印はモノクロ画像であってもカラー画像であっても印刷を許可されていないことを示している。従って光沢紙はモノクロ画像であってもカラー画像であっても印刷を許可されていない種類であると判定されることになる。このようにテーブルは必要に応じて適宜設定可能である。
【００２９】
次に、複合機１０が着呼を検出したときの処理について説明する。
図１は、複合機１０がデータをファクシミリ受信して印刷する処理の流れを示すフローチャートである。本処理はファクシミリ送受信部５０が着呼を検出すると開始される。
Ｓ１０５では、ファクシミリ送受信部５０は着呼に応答して回線接続を行う。この回線接続において制御部６５と送信元のファクシミリ装置との間でネゴシエーションが行われる。このネゴシエーションにおいてファクシミリ送受信部５０は送信元のファクシミリ装置にカラー画像のファクシミリ受信が可能であることを通知する。
【００３０】
Ｓ１１０では、ファクシミリ送受信部５０はデータをファクシミリ受信する。このとき、送信元のファクシミリ装置は送信対象のデータに応じた通信種別でデータを送信する。
Ｓ１１５では、ファクシミリ送受信部５０は回線を切断する。
Ｓ１２０では、制御部６５はサイズ検出センサ４５の出力信号に基づいてサイズを判定する。
【００３１】
Ｓ１２５では、制御部６５は紙質検出センサ４６の出力信号に基づいて紙質を判定する。
Ｓ１３０では、制御部６５はトレイ３６に現在載置されている用紙のサイズが印刷を許可されているサイズであるか否かを図４（Ａ）に示すテーブルを参照して判定する。例えば通信種別がモノクロ画像の送受信の場合は、載置されている用紙のサイズがＡ４である場合のみ印刷を許可されているサイズであると判定される。通信種別がカラーの送受信の場合はいずれのサイズが載置されていても印刷を許可されているサイズであると判定される。印刷を許可されているサイズであればＳ１３５に進み、印刷を許可されていないサイズであればＳ１４５に進む。
【００３２】
Ｓ１３５では、制御部６５はトレイ３６に現在載置されている用紙の紙質が印刷を許可されていない紙質であるか否かを図４（Ａ）に示すテーブルを参照して判定する。この判定ではＳ１３０と同様に通信種別に応じて判定する。印刷を許可されている紙質であればＳ１４０に進み、印刷を許可されていない紙質であればＳ１４５に進む。
Ｓ１４０では、制御部６５は印刷ユニット３０を制御し、ファクシミリ受信したデータをトレイ３６に現在載置されている用紙に印刷する。
【００３３】
Ｓ１４５では、制御部６５は印刷ユニット３０にデータを印刷させず、所定の処理を実行する。具体的には例えば、制御部６５は図５に示す画面をＬＣＤ４２ａに表示してデータを印刷するか否かをユーザに問い合わせる。図５に示すように画面７１にはファクシミリ受信したときの通信種別を示す情報（例えばカラー画像）、トレイ３６に載置されている用紙のサイズ、当該用紙の紙質が表示される。ファクシミリ受信したデータを印刷したい場合、ユーザはトレイ３６に載置されている用紙を印刷を許可されている種類の用紙に交換した後、画面７１で「１．はい」を選択する。一方、ファクシミリ受信したデータを印刷しない場合、ユーザは「２．いいえ］を選択する。
【００３４】
Ｓ１５０では、制御部６５はＳ１４５でいずれが選択されたかを判定し、「１．はい」が選択された場合はＳ１２０に戻って処理を繰り返す。前述のＳ１４５でユーザは印刷を許可されている種類の用紙に交換するはずなので、繰り返しの処理ではＳ１３０およびＳ１３５において肯定判定がなされ、Ｓ１４０で印刷が行われることになる。仮にユーザが用紙を交換せずに印刷を指示した場合はＳ１３０またはＳ１３５において再び否定判定がなされ、画面７１が再表示される。「２．いいえ」が選択された場合は複合機１０は印刷せずに処理を終了する。
【００３５】
以上説明した本発明の第１実施例に係る複合機１０によると、制御部６５は否定判定されると当該データを印刷ユニット３０に印刷させず、ユーザに印刷するか否かを問い合わせる。これにより、ファクシミリ受信したデータの印刷を許可されていない種類の用紙にファクシミリ受信したデータが許可なく印刷されてしまうことを防止できる。
【００３６】
また、一般にインクジェット方式による印刷では普通紙に印刷する場合より光沢紙に印刷する場合の方が多くのインクが消費される。このため、ファクシミリ受信したモノクロ画像が光沢紙に印刷されてしまうと、多くのインクが無用に消費されてしまう。これに対し、複合機１０によると、ファクシミリ受信したモノクロ画像が光沢紙に印刷されてしまうことを防止できるので、インクが無用に消費されてしまうことを防止できるという効果もある。
【００３７】
なお、本実施例では否定判定されたときに画面７１を表示してユーザに印刷を問い合わせるが、例えばファクシミリ受信したデータをＲＡＭ６６に蓄積し、ファクシミリ受信したデータがあることを示すインジケータを点灯させてもよい。
【００３８】
（第２実施例）
図６は、本発明の第２実施例に係るフローチャートである。第２実施例の複合機１０はＳ１４５で「１．はい」または「２．いいえ」のいずれが選択されたかをＳ２０５において判定する。「１．はい」が選択された場合は複合機１０はＳ１２０に戻らずにＳ１４０に進み、ファクシミリ受信したデータをトレイ３６に載置されている用紙に印刷する。
【００３９】
第２実施例によると、例えばトレイ３６にＡ４普通紙が載置されている状態でカラー画像を表すデータをファクシミリ受信したとき、ユーザはそのカラー画像をＡ４普通紙に印刷しても構わなければ用紙を交換することなく「１．はい」を押すことにより、そのカラー画像をＡ４普通紙に印刷できる。すなわち第２実施例によると、ファクシミリ受信したデータの印刷を許可されていない種類の用紙に印刷されてしまうことを防止しつつ、ユーザに許可された場合は印刷を許可されていない種類の用紙に印刷することもできる。
第２実施例はその他の点において第１実施例と実質的に同一である。
【００４０】
（第３実施例）
図７は、本発明の第３実施例に係るフローチャートである。第３実施例の複合機１０は、Ｓ１０５での回線接続の直後、言い換えるとデータをファクシミリ受信するより前に、Ｓ１２０、Ｓ１２５、Ｓ１３０およびＳ１３５を実行し、印刷を許可されていない種類のときはＳ３０５において送信元のファクシミリ装置に対してファクシミリ受信の許否を通知する。
【００４１】
第３実施例によると、印刷を許可されていない種類の用紙のときはファクシミリ受信を許否するので、印刷を許可されていない種類の用紙にファクシミリ受信したデータが印刷されてしまうことを防止できる。
第３実施例はその他の点において第１実施例と実質的に同一である。
【００４２】
（第４実施例）
図８は、本発明の第４実施例に係る選択画面の模式図である。図８に示す選択画面７２は、印刷を許可されていない種類であると判定されたときにデータを印刷するか否かをユーザに問い合わせる「問い合わせ印刷処理」を実行するか、またはファクシミリ受信を拒否する「受信許否処理」を実行するかをユーザが選択するための画面である。ユーザは選択画面７２において「問い合わせ印刷処理」または「受信拒否処理」のいずれか一方を自由に選択できる。
【００４３】
図９は、第４実施例に係るフローチャートである。
Ｓ４０５では、制御部６５は「問い合わせ印刷処理」または「受信拒否処理」のいずれが設定されているかを判定し、「問い合わせ印刷処理」が設定されている場合はＳ４１０に進む。「受信拒否処理」が設定されている場合はＳ４１５に進む。
【００４４】
Ｓ４１０では、制御部６５は図１に示した第１の処理フローを実行する。
Ｓ４１５では、制御部６５は図７に示した第３の処理フローを実行する。
第４実施例によると、印刷を許可されていない種類であると判定されたときの処理をユーザが選択できる。
第４実施例はその他の点において第１実施例と実質的に同一である。
【００４５】
（第５実施例）
第５実施例は、ファクシミリ受信する際の通信種別がモノクロ画像の送受信に限定されている複合機１０の例である。例え通信種別がモノクロ画像の送受信に限定されていたとしても、印刷ユニット３０はリムーバブルメモリ４８から読み込んだディジタル画像をカラー印刷できるので、トレイ３６には光沢紙が載置されている可能性がある。
【００４６】
図１０は第５実施例に係るテーブルの一例を示す模式図である。第５実施例では印刷が許可されている種類であるか否かを用紙のサイズおよび紙質のみによって判定する。図９において「○」は印刷が許可されている種類であることを示し、「×」は印刷が許可されていない種類であることを示している。
【００４７】
図１１は、第５実施例に係るフローチャートである。
Ｓ５０５では、複合機１０はサイズがＡ４であればＳ５１０に進み、それ以外であればＳ１４５に進む。
Ｓ５１０では、複合機１０は紙質が普通紙であればＳ１４０に進み、それ以外であればＳ１４５に進む。
第５実施例はその他の点において第１実施例と実質的に同一である。
【図面の簡単な説明】
【００４８】
【図１】本発明の一実施例に係るフローチャート。
【図２】本発明の一実施例に係る画像入出力装置の外観を示す斜視図。
【図３】本発明の一実施例に係る画像入出力装置のブロック図。
【図４】（Ａ）及び（Ｂ）は本発明の一実施例に係る情報の模式図。
【図５】本発明の一実施例に係る画面の模式図。
【図６】本発明の一実施例に係るフローチャート。
【図７】本発明の一実施例に係るフローチャート。
【図８】本発明の一実施例に係る画面の模式図。
【図９】本発明の一実施例に係るフローチャート。
【図１０】本発明の一実施例に係る情報の模式図。
【図１１】本発明の一実施例に係るフローチャート。
【符号の説明】
【００４９】
１０  複合機（画像入出力装置）、３０  印刷ユニット（印刷手段）、３６  トレイ、３７  用紙（印刷媒体）、４１  ディジタル画像処理部（印刷手段）、４２  表示部（選択手段）、４３  操作部（選択手段）、４５  サイズ検出センサ（判定手段）、４６  紙質検出センサ（判定手段）、５０  ファクシミリ送受信部（受信手段）、６５  制御部（印刷手段、受信手段、判定手段、制御手段、選択手段）、６７  フラッシュメモリ（記憶手段）
【図１】
2007165988.tif 000003
【図２】
2007165988.tif 000004
【図３】
2007165988.tif 000005
【図４】
2007165988.tif 000006
【図５】
2007165988.tif 000007
【図６】
2007165988.tif 000008
【図７】
2007165988.tif 000009
【図８】
2007165988.tif 000010
【図９】
2007165988.tif 000011
【図１０】
2007165988.tif 000012
【図１１】
2007165988.tif 000013